(57)【要約】  本発明は、ヒンジを介して接続されている２つのハウジングを含む電子デバイスを包含する。２つのハウジングは、互いに他方に対して回転させることができる。２つのハウジングは、電子デバイスを開いた位置または閉じた位置に配置するために回転させることができる。電子デバイスは、閉じた位置または開いた位置の何れにおいてもユーザが種々の機能を操作することを可能にする少なくとも２つのスクロールダイアルを更に含む。ディスプレイが設けられており、このディスプレイは、開いた位置または閉じた位置の何れにおいてもディスプレイ上に表示される情報をユーザが見ることができるように、その配向が自動的に調整される。本発明による電子デバイスは更に、電子デバイスの位置に基づいてオーディオ機能を調整するようになっている。
2007516681.tif 000002
【特許請求の範囲】
【請求項１】
開いた位置と閉じた位置とを有し、無線通信システム内で動作可能な電子デバイスであって、
第１のスクロールダイアル、ディスプレイ、第１のオーディオ源、及び第２のオーディオ源を有する第１のハウジングを含み、上記ディスプレイは、情報をユーザに表示するようになっており、且つ上記情報を表示するための複数の配向を有し、
上記電子デバイスは、第２のスクロールダイアル、及びキーパッドを有する第２のハウジングと、
上記第１のハウジングを上記第２のハウジングに接続するようになっており、上記第１のハウジングを回転させて上記電子デバイスを開いた位置に配置することを可能にするヒンジと、を更に含み、上記ヒンジはカム機能及びロッキング機能を更に有し、
上記電子デバイスは、上記電子デバイスの位置を決定するプロセッサを更に含み、上記プロセッサは、上記電子デバイスの位置に基づいて上記電子デバイス、上記第１のオーディオ源、及び上記第２のオーディオ源の機能を制御する、
ことを特徴とする電子デバイス。
【請求項２】
上記第１のハウジングは、第１の返答キー、第１の終了キー、及び複数の第１の情報キーを更に含み、
上記第２のハウジングは、第２の返答キー、終了キー、及び複数の第２の情報キーを更に含み、
上記第１のオーディオ源は、第１のマイクロホン、及び第１のスピーカを含み、
上記第２のオーディオ源は、第２のマイクロホン、及び第２のスピーカを含む、
ことを特徴とする請求項１に記載の電子デバイス。
【請求項３】
上記プロセッサは、上記電子デバイスが開いた位置にあると決定されれば、上記第１の返答キー、上記第１の終了キー、上記複数の第１の情報キー、上記第１のマイクロホン、及び上記第２のスピーカを不活動化し、
上記プロセッサは、上記電子デバイスが開いた位置にあると決定されれば、上記第２の返答キー、上記第２の終了キー、上記複数の第２の情報キー、上記第２のマイクロホン、及び上記第１のスピーカを活動化する、
ことを特徴とする請求項２に記載の電子デバイス。
【請求項４】
上記プロセッサは、上記電子デバイスが閉じた位置にあると決定されれば、上記第２の返答キー、上記第２の終了キー、上記複数の第２の情報キー、上記第２のマイクロホン、及び上記第１のスピーカを不活動化し、
上記プロセッサは、上記電子デバイスが閉じた位置にあると決定されれば、上記第１の返答キー、上記第１の終了キー、上記複数の第１の情報キー、上記第１のマイクロホン、及び上記第２のスピーカを活動化する、
ことを特徴とする請求項２に記載の電子デバイス。
【請求項５】
上記第１のハウジングは、第１のカメラを更に含み、
上記プロセッサは、上記電子デバイスが閉じた位置にあると決定されれば、上記第１のカメラを不活動化する、
ことを特徴とする請求項１に記載の電子デバイス。
【請求項６】
上記第２のハウジングは、第２のカメラを更に含む、
ことを特徴とする請求項１に記載の電子デバイス。
【請求項７】
上記ディスプレイは第１の配向を有し、上記第１の配向は上記電子デバイスが閉じた位置にある時に与えられる、
ことを特徴とする請求項１に記載の電子デバイス。
【請求項８】
上記ディスプレイは第２の配向を有し、上記第２の配向は上記電子デバイスが開いた位置にある時に与えられる、
ことを特徴とする請求項１に記載の電子デバイス。
【請求項９】
上記プロセッサに接続されているスイッチを更に含み、上記プロセッサは上記スイッチが作動すると上記ディスプレイの配向を回転させる、
ことを特徴とする請求項１に記載の電子デバイス。
【請求項１０】
上記スイッチは磁気スイッチからなり、上記磁気スイッチは、上記第１のハウジングが上記第２のハウジングに対して90°より大きく回転すると作動する、
ことを特徴とする請求項９に記載の電子デバイス。
【請求項１１】
上記ディスプレイは、上記情報をユーザに表示するための第１の配向及び第２の配向を含み、上記第１の配向で表示される上記情報は上記第２の配向に対して180°逆向きであることを特徴とする請求項１に記載の電子デバイス。
【請求項１２】
上記第１のハウジングは上記第２のハウジングのトップ上にあり、上記電子デバイスが閉じた位置にある時には、上記第１のハウジングが上記第２のハウジングの上記キーパッドをカバーし、且つ上記ディスプレイが上記第１の配向を使用して上記情報を表示するようになっていることを特徴とする請求項１１に記載の電子デバイス。
【請求項１３】
上記第１のハウジングは上記第２のハウジングのトップ上にあり、上記電子デバイスが開いた位置にある時には、上記第１のハウジングが上記第２のハウジングの上記キーパッドを露出させ、且つ上記ディスプレイが上記第２の配向を使用して上記情報を表示するようになっていることを特徴とする請求項１１に記載の電子デバイス。
【請求項１４】
開いた位置と閉じた位置とを有し、無線通信システム内で動作可能な電子デバイスであって、
第１のスクロールダイアル、ディスプレイ、第１のオーディオ源、及び第２のオーディオ源を有する第１のハウジングを含み、上記ディスプレイは、情報をユーザに表示するようになっており、且つ上記情報を表示するための複数の配向を有し、
上記電子デバイスは、第２のスクロールダイアル、及びキーパッドを有する第２のハウジングと、
上記第１のハウジングを上記第２のハウジングに接続するようになっているヒンジと、を更に含み、上記ヒンジは、上記第１のハウジングを上記第２のハウジングに対して何れかの方向に180°回転させて上記電子デバイスを開いた位置に配置することを可能にし、
上記電子デバイスは、上記電子デバイスの位置を決定するプロセッサを更に含み、上記プロセッサは、上記電子デバイスの位置が決定されると上記電子デバイスの機能を制御し、上記プロセッサは、上記電子デバイスの位置に基づいて上記第１のオーディオ源及び上記第２のオーディオ源の機能を調整し、
上記電子デバイスは、上記プロセッサに接続されているスイッチを更に含み、上記プロセッサは、上記スイッチが作動すると上記ディスプレイの上記配向を回転させる、
ことを特徴とする電子デバイス。
【請求項１５】
上記スイッチは磁気スイッチからなり、上記磁気スイッチは、上記第１のハウジングが上記第２のハウジングに対して90°より大きく回転すると作動する、
ことを特徴とする請求項１４に記載の電子デバイス。
【請求項１６】
上記第１のハウジングは、第１のカメラを更に含み、
上記プロセッサは、もし上記電子デバイスが閉じた位置にあると決定されれば、上記第１のカメラを不活動化する、
ことを特徴とする請求項１４に記載の電子デバイス。
【請求項１７】
上記第２のハウジングは、第２のカメラを更に含む、
ことを特徴とする請求項１４に記載の電子デバイス。
【請求項１８】
上記ディスプレイは第１の配向を有し、上記第１の配向は上記電子デバイスが閉じた位置にある時に与えられる、
ことを特徴とする請求項１４に記載の電子デバイス。
【請求項１９】
上記ディスプレイは第２の配向を有し、上記第２の配向は上記電子デバイスが開いた位置にある時に与えられる、
ことを特徴とする請求項１４に記載の電子デバイス。
【請求項２０】
上記プロセッサに接続されているスイッチを更に含み、上記プロセッサは上記スイッチが作動すると上記ディスプレイの配向を回転させる、
ことを特徴とする請求項１４に記載の電子デバイス。
【請求項２１】
上記ディスプレイは、上記情報をユーザに表示するための第１の配向及び第２の配向を含み、上記第１の配向で表示される上記情報は上記第２の配向に対して180°逆向きであることを特徴とする請求項１４に記載の電子デバイス。
【請求項２２】
上記第１のハウジングは上記第２のハウジングのトップ上にあり、上記電子デバイスが閉じた位置にある時には、上記第１のハウジングが上記第２のハウジングの上記キーパッドをカバーし、且つ上記ディスプレイが上記第１の配向を使用して上記情報を表示することを特徴とする請求項２１に記載の電子デバイス。
【請求項２３】
上記第１のハウジングは上記第２のハウジングのトップ上にあり、上記電子デバイスが開いた位置にある時には、上記第１のハウジングが上記第２のハウジングの上記キーパッドを露出させ、且つ上記ディスプレイが上記第２の配向を使用して上記情報を表示することを特徴とする請求項２１に記載の電子デバイス。
【請求項２４】
第１及び第２のハウジングを有し、上記第１のハウジングが上記第２のハウジングに対して回転可能である電子デバイスの機能を制御する方法において、
上記第１のハウジングの上記第２のハウジングに対する回転の指示を与えるスイッチが作動しているか否かを決定するステップと、
もし上記スイッチが作動していると決定されれば、ディスプレイ上に表示されている画像の配向を切り替えるステップと、
上記電子デバイスが閉じた位置にあるか否かを決定するステップと、
もし上記電子デバイスが閉じた位置にあると決定されれば、少なくとも１つのオーディオ源の機能を調整し、またもし上記電子デバイスが開いた位置にあると決定されれば、第１のスクロールダイアルの機能を動作不能にするステップと、
を含むことを特徴とする方法。
【請求項２５】
上記電子デバイスが開いた位置にあるか否かを決定し、もし上記電子デバイスが開いた位置にあると決定されれば、少なくとも１つのオーディオ源の機能を調整するステップを更に含むことを特徴とする請求項２４に記載の方法。
【請求項２６】
もし上記電子デバイスが閉じた位置にあると決定されれば、第１のオーディオ源の機能を調整するステップを更に含むことを特徴とする請求項２４に記載の方法。
【請求項２７】
もし上記電子デバイスが閉じた位置にあると決定されれば、第２のオーディオ源の機能を調整するステップを更に含むことを特徴とする請求項２４に記載の方法。
【請求項２８】
上記機能を調整するステップは、第２のオーディオ源のスピーカを動作不能にし、且つ上記第２のオーディオ源のマイクロホンを動作可能にすることを含むことを特徴とする請求項２４に記載の方法。
【請求項２９】
上記機能を調整するステップは、第１のオーディオ源のマイクロホンを動作不能にし、且つ上記第１のオーディオ源のスピーカを動作可能にすることを含むことを特徴とする請求項２４に記載の方法。
【発明の詳細な説明】
【技術分野】
【０００１】
本発明は回転（ピボット）機能を有するハウジングを有する電子デバイスに関し、特定的にはハウジングの回転に基づいて構成要素の動作を調整する方法及び装置に関する。
【背景技術】
【０００２】
通信システムは、通信接続によって送信局（起呼側）と受信局（被呼側）との間で情報を通信するように動作可能である。無線通信システムは、情報が１局またはそれ以上の基地局を介して送信局と受信局との間で通信する通信システムである。セルラまたはデジタル通信システムは、多重ユーザ無線通信システムの例である。
【０００３】
さまざまな無線通信システムが開発され、広い地理的領域にわたって実現されている。いろいろな標準が確立され、無線通信システムは一般的に１つまたはそれ以上の標準に準拠して動作するように構成されている。IS-95 / IS-2000と呼ばれるこのような標準の１つは、ＣＤＭＡ（符号分割多重アクセス）をベースとする無線通信システムを定義している。IS-95 / IS-2000標準によって定義されているＣＤＭＡのような無線通信システムにおいては、起呼側が呼出しシーケンスを使用することによって呼出しを開始すると、起呼側と被呼側との間に呼出しが確立される。一般的に、呼出しシーケンスは、例えば被呼側のダイアリングシーケンス（電話番号ともいう）のような加入者のアドレスを入力するユーザを含む。
【０００４】
過去数年にわたって、電話機をより小型にする要望が増加してきている。この要求を満たすために、製造業者は幾つかのフリップ型電話機を含むさまざまな型の電話機を開発してきた。しかしながら、殆どのフリップ電話機は、入力呼出しに返答するためには電話機を開く必要がある。フリップ型電話機においては、一般的に、電話機を開いた位置にするためにユーザは両手を使用しなければならない。一般的にフリップ電話機は、そのサイズの故に、例えば起呼側の発信者電話番号を見るような可操作機能が制限されている。
【発明の開示】
【発明が解決しようとする課題】
【０００５】
もし小サイズの通信デバイスを使用するユーザが、電話機を開くことなく入力呼出しに返答し、容易に通話することができ、そしてより多くの可操作機能が設けられていれば有用である。
【課題を解決するための手段】
【０００６】
本発明は、小サイズで、ユーザが電話機を開くことなく呼出しを行い、入力呼出しに返答し、そして容易に通話することができ、且つより多くの可操作機能が設けられている電子デバイスのための装置及び関連方法を有利に提供する。
【０００７】
本発明は、通信システム（例えば、ＣＤＭＡ、ＴＤＭＡ、ＧＳＭ等）内で動作可能なモバイル端末、パーソナルデジタルアシスタント（ＰＤＡ）、またはコンピュータのような電子デバイスを包含する。本電子デバイスは、ヒンジを介して接続されている２つのハウジングを含む。２つのハウジングは、互いに他方に対して回転させることができる。２つのハウジングは、電子デバイスを開いた位置または閉じた位置に配置するために回転させることができる。電子デバイスは、閉じた位置または開いた位置の何れにおいてもユーザが種々の機能を操作することを可能にする少なくとも２つのスクロールダイアルを更に含む。ディスプレイが設けられており、このディスプレイは、開いた位置または閉じた位置の何れにおいてもディスプレイ上に表示される情報をユーザが見ることができるように、その配向が自動的に調整される。本発明による電子デバイスは更に、電子デバイスの開いた位置または閉じた位置に基づいてオーディオ機能を調整する。また電子デバイスは、ユーザが彼等の親指または彼等の指だけを使用して電子デバイスを開くことができるようにするカム及びロッキング機能を有するヒンジをも含んでいる。
【０００８】
以下に、添付図面を参照して本発明の全ての長所及び範囲をより完全に説明する。
【発明を実施するための最良の形態】
【０００９】
図１は、本発明の一実施の形態によるモバイル端末１００のような電子デバイスのブロック図である。一般的に、モバイル端末１００は、一まとめにメモリ１０４として示されている種々のメモリに結合されているコントローラ１０２（プロセッサ１０２としても知られている）を含んでいる。メモリ１０４は、電子デバイス１００の動作中にプロセッサ１０２が使用する複数の格納された内容及び変数を含む。例えばメモリ１０４は、種々の機能パラメータ及び番号割当てモジュール（ＮＡＭ）を格納している。メモリ１０４は更に、本発明を遂行するために必須のパラメータを格納する内部データベース１０８をも含む。プロセッサ１０２の動作を制御するためのオペレーティングプログラムも、メモリ１０４内に（典型的には、読出し専用メモリ内に）格納されている。メモリ１０４は、ユーザインタフェースを通してユーザが供給するデータを格納するためにも使用される。更にメモリ１０４は、モバイル端末１００の動作を制御し、本発明の実施の形態を遂行するためのサブプログラムまたはサブプロセスを保持するために使用される。メモリ１０４内のオペレーティングプログラムは、電子デバイス１００の位置に基づいてその機能の動作を調整するためのルーチンを含む。
【００１０】
モバイル端末１００のユーザインタフェースは更に、液晶ディスプレイ（ＬＣＤ）１１０、タッチスクリーンディスプレイ１１２、発光ダイオード（ＬＥＤ）１１４、トーンジェネレータ１１６、スピーカ１１８、及び英数字キーパッド１２２を含むユーザ入力デバイス１２０を含み、これらは全てプロセッサ１０２に結合されている。入力デバイス１２０は、入力を発生するためのマイクロホン１２４、及びタッチスクリーンディスプレイ１１２を含むこともできる。入力デバイスは更に、スクロールダイアル機能１４２を含むこともでき、カメラ機能１４８を含むことができる。モバイル端末１００は更に、プロセッサ１０２の動作を同期させ、時間を追跡するために、プロセッサ１０２に結合されているタイマ１２８（クロックチップともいう）を含むことができる。
【００１１】
モバイル端末１００の例は更に、入力信号を受信するためのアンテナ１３６に結合されている受信機１３０と、出力信号を送信するための送信機１３２とを含み、両者はプロセッサ１０２に結合されている。送信機１３２及び受信機１３０に結合されているプロセッサ１０２は、出力信号の送信及び入力信号の処理をそれぞれ開始する。これらの信号は、適用可能なセルラまたはデジタルシステムのエアインタフェースによるシグナリング情報、及びユーザスピーチ及び／またはユーザが生成したデータをも含むことができる。出力信号は外部データベースからデータを要求するために使用することができ、また入力信号は要求されたデータを含むことができる。
【００１２】
一実施の形態においては、モバイル端末１００は、１個またはそれ以上の航法衛星から全地球測位システム（ＧＰＳ）信号を受信するためのＧＰＳ受信機１３４を含む。ＧＰＳ受信機１３４はプロセッサ１０２に結合されており、プロセッサ１０２はＧＰＳ信号を処理してモバイル端末１００の位置を計算する。ＧＰＳ信号は、軌道を周回するＧＰＳ衛星（好ましくは、３個またはそれ以上）から地表へ送信され、アンテナ１３６内に統合されているＧＰＳアンテナ１３６ａによってピックアップされる。ＧＰＳ受信機１３４は、ＧＰＳ軌道周回衛星から受信したＧＰＳ信号を現受信機位置の空間座標に変換する。空間座標は４つの座標ｘ、ｙ、ｚ、及びｔによって定義することができる。ここに、ｘ、ｙ、ｚは三次元空間点であり、ｔはｘ、ｙ、ｚ空間参照が出現する時刻である。例えば三角法のような簡単な幾何学によって、ＧＰＳ受信機１３４を有するモバイル端末１００の位置を計算することができる。位置を決定するために三角法を使用することは公知であり、当業者ならばＧＰＳ信号を使用することによってＧＰＳ受信機１３４の位置が極めて正確に確定されることが理解されよう。基地局またはＧＰＳ衛星から決定された空間座標を使用し、また公知の三角法技術を使用することによって、プロセッサ１０２はモバイル端末１００のロケーション（または、ポジション）を発生することができる。
【００１３】
図２Ａ及び２Ｂに、モバイル端末１００に類似する長円形携帯電話機（モバイルフォン）２００の実施の形態を示す。図２Ａは、開いた位置にある携帯電話機２００を示し、図２Ｂは閉じた位置にある携帯電話機２００を示している。本発明の一面による携帯電話機２００は、２つのハウジング、即ちトップハウジング２０２及びボトムハウジング２０４からなる。図１で説明したモバイル端末１００の全ての構成要素が、２つのハウジング内に組込まれている。好ましい実施の形態によれば、トップハウジング２０２及びボトムハウジング２０４は長円形であり、ボトムハウジング２０４のサイズはトップハウジング２０２のサイズより僅かに大きい。
【００１４】
トップハウジング２０２は、ヒンジ２８０によってボトムハウジング２０４に接続されている。即ち、トップハウジング２０２は、ロックされた状態からヒンジ２８０を中心として180°回転させることができ、180°回転すると再ロックされる。例えば、図２Ｂに示すように携帯電話機２００が閉じた位置にある時には、ヒンジ２８０は携帯電話機２００をその位置にロックしている。好ましい実施の形態においては、トップハウジングはヒンジ２８０によって両方向へ（右または左の何れの方向へも）回転させることができる。ユーザは、圧力を加えることによってトップハウジングを何れかの方向へ180°回転させて携帯電話機２００を開くことができる。ある操作においては、この動作によって、どのキーをも作動させることなく入力呼出しに返答することができる。また、携帯電話機２００が開いた位置にある時には、ユーザは、圧力を加えることによってトップハウジングを何れかの方向へ180°回転させて携帯電話機２００を閉じることができる。
【００１５】
好ましい実施の形態においては、携帯電話機２００が閉じた位置にある時にトップハウジング２０２のロックを解除するのに要する圧力は、単に親指を使用して何れかの方向に加えることができる。携帯電話機２００は他のさまざまな技術を使用しても開閉することができるが、携帯電話機２００を開くには親指の使用で十分である。また、好ましい実施の形態においては、ヒンジ２８０は（ヒンジアセンブリも）、カム及びばね作用機能を含んでいる。このカム及びばね作用機能によって、ユーザがトップハウジング２０２を数度だけ（一般的には40°より小さい）回転させると、カム及びばね作用機能が携帯電話機２００を開いた位置に自動的に開いてロックするようになる。開いた位置から閉じた位置まで何れかの方向に移動させる場合も、ユーザがトップハウジング２０２を130°乃至140°回転させると、カム及びばね作用機能が携帯電話機２００を閉じた位置に自動的に閉じてロックする。
【００１６】
例示携帯電話機２００においては、トップハウジング２０２は、第１のオーディオ源２０８及び第２のオーディオ源２１０を含む。第1及び第２のオーディオ源２０８、２１０はそれぞれ、オーディオを供給するスピーカ機能と、オーディオを受けるマイクロホン機能とを含んでいる。両オーディオ源は、トップハウジング２０２内に組込まれている。トップハウジング２０２は、入力呼出しに返答したり、または呼出しを行うための返答用キー２１３、何等かのメニュー機能を終了させ、呼出しを終わらせるための終了キー２１４、メニュー探索機能中にオプションをナビゲートするための第１のセットの情報キー２１６及び２１８、画像及び情報をユーザに表示するためのディスプレイ２０６、及び携帯電話機２００のユーザインタフェース機能を通してナビゲートするための、ディンプル２２２を有する第１のスクロールダイアル２２０のようなユーザインタフェースデバイスを含む。トップハウジング２０２上の入力デバイスを囲むクロムめっきされた長円形リング２２１が設けられている。
【００１７】
例示携帯電話機２００においては、ボトムハウジング２０４は、ヒンジ２８０を介してトップハウジング２０２に接続されている。ボトムハウジング２０４は、プロセッサ１０２、メモリ１０４、受信機１３０、及び送信機１３２を収容している。図１に示したような他の構成要素は、トップハウジング２０２またはボトムハウジング２０４の何れかに収容することができるが、好ましくは、これらの構成要素の大部分はボトムハウジング２０４内に収容する。図２Ａに示すように、ボトムハウジングは幾つかの入力デバイスを含む。入力デバイスは、標準数字キーを有する電話機キーパッド２３６、入力呼出しに返答するか、または呼出しを開始するための返答用キー２３２、何等かのメニュー機能を終了させ、及び／または呼出しを終わらせるための終了キー２３４、メニュー探索機能中にオプションをナビゲートするための第２のセットの情報キー２２８及び２３０、及び携帯電話機２００が開いた位置にある時に携帯電話機２００のユーザインタフェース機能を通してナビゲートするための、ディンプル２２６を有する第２のスクロールダイアル２２４を含む。トップハウジング２０２上の入力デバイスを囲むクロムめっきされた長円形リング２２１が設けられている。
【００１８】
図３Ａ及び３Ｂは、本発明による携帯電話機２００の側面図である。図３Ａは、開いた位置にある携帯電話機２００の側面図である。本発明の好ましい実施の形態によれば、ボトムハウジング２０４はトップサイド３３０及びボトムサイド３４０を有し、ボトムハウジング２０４のトップサイド３３０は、ユーザの親指を滑動させ易くするために僅かに凹面３２０にされている。トップハウジング２０２はトップサイド３２６及びボトムサイド３２８を有し、トップハウジングのボトムサイド３２８は、ボトムハウジングに合わせて僅かに凸面になっている。トップハウジング２０２内にデジタルカメラ（図示してない）を組込むために、デジタルカメラスロット３１６が設けられている。好ましい実施の形態においては、トップハウジング２０２は、ボトムハウジング２０４より小さい。ヒンジ２８０は、携帯電話機２００が開いた位置にある時にトップハウジング２０２が外向きに伸びて面３２２を作り、ボトムハウジング２０４が面３２６を作るように組込まれている。面３２２及び３２６は、携帯電話機２００が開いた位置にある時には互いに平行ではない。携帯電話機２００が開いた位置にある時には、トップハウジング２０２とボトムハウジング２０４との間にある角度３２４が形成される。この角度３２４は、面３２２と面３２６との交角である。角度３２４は、一般的には45°より小さい。好ましい実施の形態によれば、角度３２４は20°−40°の範囲内にある。この角度３２４は、呼出し中に電話機を快適な位置に保持する能力をユーザに与え、また携帯電話機２００を前方に保持するか、または写真を撮影する時にディスプレイ２０６がより良好に見えるようにする。
【００１９】
図３Ｂは、携帯電話機２００が閉じた位置にある時の側面図である。本発明の実施の形態によれば、ボトムハウジング２０４は、ボトムハウジング２０４の下側部分３０８にアクセサリコネクタ３０６を含む。ボトムハウジング２０４は更に、ボトムハウジング２０４の上側部分３１０に赤外読取り装置及び電源スイッチを含む。ハンドフリーレセプタがボトムハウジング２０４の上側部分３１０の周囲全体に配置される。好ましい実施の形態においては、携帯電話機２００に電力を供給する電源（図示してない）は、ボトムハウジング２０４内に組入れられる。
【００２０】
図４Ａ及び４Ｂはそれぞれ、携帯電話機２００が開いた時及び閉じた時の携帯電話機２００の背面図である。デジタルカメラ１４８に類似の第１のデジタルカメラ４０８がトップハウジングのボトムサイド上に設けられている。第１のデジタルカメラ４０８は、携帯電話機２００が開いた位置にある時に露出されて動作するようになる。本発明の代替実施の形態においては、デジタルカメラ１４８に類似の第２のデジタルカメラ４０６を設けることができる。ボトムハウジングは、ボトムハウジング２０４のボトムサイド３４０上に設けられている平坦領域４０４を含み、そこに第２のデジタルカメラ４０６が組込まれている。代替として、本発明から逸脱することなく、第２のデジタルカメラ４０６だけをボトムハウジングのボトムサイド上に設けることができる。
【００２１】
図５Ａ乃至５Ｄは、携帯電話機２００のトップハウジングのいろいろな配向を示している。図５Ａでは携帯電話機２００は閉じた位置にあり、画像５０２が表示されている。図５Ｂにおいてはトップハウジングが90°より小さく回転しており、図５Ｃにおいてはトップハウジングが90°より大きく回転している。好ましい実施の形態によれば、画像５０２の配向は、トップハウジング２０２が90°より大きく回転すると切り替わるようになっている。これは、磁石上を過ぎるとトグルすることができる磁気スイッチを使用することによって達成することができる。スイッチ１５０はプロセッサ１０２に接続することが好ましく、プロセッサ１０２は、例えばスイッチ１５０が作動した時に画像を180°フリップさせるようにディスプレイの向きを回転させる。スイッチ１５０は、トップハウジング２０２がボトムハウジング２０４に対して90°より大きく回転すると作動する。スイッチの配置は、トップハウジング２０２が90°より大きく回転したことを検出するものである限り製造業者に委ねられる。好ましい実施の形態によれば、磁気スイッチ１５０は、オーディオ源２０８のスピーカ付近に配置される。それは、スピーカの磁石の使用することによって、余計な要素の付加を回避できるからである。本発明の思想から逸脱することなく、他の幾つかの技術を使用できることを理解されたい。図５Ｄにおいては、トップハウジングは180°回転しており、画像は図５Ａから180°回転されている。
【００２２】
図６は、本発明の代替実施の形態による携帯電話機２００を示しており、この携帯電話機２００は画像６０６を表示するための長円形領域６０４を含んでいる。この実施の形態においては、領域６０４の殆どが表示のために使用されている。
【００２３】
図７に、本発明の一面による携帯電話機２００の別の実施の形態を示す。即ち、携帯電話機２００を開きながら、開いた携帯電話機２００を図７に示すように90°回転させることができる。これにより、ユーザは携帯電話機２００を操作するために両手を使用することができるようになる。所定のセットのキーを作動させると、画像７０２は、ユーザが画像をポートレートモードで、換言すれば直立画像を見ることができるように調整される。また、携帯電話機２００を回転させる前には不作動であった若干の構成要素を作動させることもできる。同じ所定のキーを作動させると、携帯電話機２００を開いた位置状態に置くことができる。
【００２４】
図８は、本発明による携帯電話機２００の構成要素の機能を調整するために、プロセッサ１０２によって制御されるプロセスのフローチャート例である。このプロセスにおいては、プロセッサ１０２がトップハウジング２０２の回転を検出すると、ブロック８００においてプロセッサ１０２は携帯電話機２００が開いた位置にあるか否かを決定し、次いでプロセッサ１０２はブロック８０２を実行する。ブロック８０２において、トップハウジング２０２の若干の構成要素（第２のスクロールダイアル２２４、情報キー２２８及び２３０、返答キー２３２、及び終了キー２３４）が活動化され、ボトムハウジング２０４の若干の構成要素（返答キー２１２、終了キー２１４、情報キー２１６及び２１８、第１のスクロールダイアル２２０）が不活動化される。ブロック８０４において、第２のオーディオ源２１０のスピーカ機能が活動にセットされ、第２のオーディオ源２１０のマイクロホン機能が不活動にセットされる。同時に、第１のオーディオ源２０８のマイクロホン機能が活動にセットされ、第１のオーディオ源２０８のスピーカ機能が不活動にセットされる。ブロック８０５において、第１のカメラが活動にセットされる。
【００２５】
ブロック８００に戻って、もしプロセッサ１０２が携帯電話機２００は閉じた位置にあると決定すれば、プロセッサ１０２はブロック８０６を実行する。ブロック８０６においては、ボトムハウジング２０４の若干の構成要素（返答キー２１２、終了キー２１４、情報キー２１６及び２１８、第１のスクロールダイアル２２０）が活動化され、トップハウジング２０２の若干の構成要素（第２のスクロールダイアル２２４、情報キー２２８及び２３０、返答キー２３２、及び終了キー２３４）が不活動化される。ブロック８０８において、第２のオーディオ源２１０のスピーカ機能が不活動にセットされ、第２のオーディオ源２１０のマイクロホン機能が活動にセットされる。同時に、第１のオーディオ源２０８のマイクロホン機能が不活動にセットされ、第１のオーディオ源２０８のスピーカ機能が活動にセットされる。ブロック８０９において、第１のカメラが活動にセットされる。
【００２６】
図９は、電子デバイスを開閉するためのヒンジアセンブリの例示実施の形態の分解図である。ヒンジアセンブリ９００は、トップピボット片９０２、シャトル９０４、ボトムピボット９０６、ばね９０８、座金９１０、及びスナップリング９１２を含む。トップピボット片９０２はトップハウジング２０２に取付けられるピボットトップ９１４を有し、更にピボットストップ９１６と、それから伸びる係合カム確保部分９１７とを有している。トップピボット片９０２は更に、ピボットトップ９１４から係合カム確保区分９１７を通って伸びるピボットシャフト９１８を含む。ボトムピボット９０６は、シャトル９０４を受けるためのキャリヤ部分９２２を含む。ボトムピボット９０６は更に、係合カム９２０を含む。ヒンジアセンブリ９００は、シャトル９０６が係合カム９２０を通してボトムピボット９０４のキャリヤ部分９２２内に位置するように組立てられる。シャトル９０６は、係合カム９２０を通してピボットシャフト９１８を滑らせ、係合カムと係合カム確保部分９１７とを同一面にすることによってキャリヤ９２２の内側に確保される。次いで、係合カム９２０が係合カム確保部分９１７と同一面をなすように、ばね９０８、座金９１０、及びスナップリング９１２をピボットシャフト９１８上を滑らせる。本発明から逸脱することなくカム及びばね作用機能を達成させるために、種々のヒンジアセンブリを使用できることを理解されたい。
【００２７】
例として、本方法及び装置は、通常のＰＤＡ、無線通信機能を有するＰＤＡ、汎用コンピュータ、及び無線接続または陸線接続方法を有するデバイスのような電子デバイス内に実現することもできる。本方法及び装置は、メニュー機能を使用するユーザによって変更することが可能な動作モードを実施することによって実現することができる。
【００２８】
以上に、本発明をその好ましい実施の形態に関して詳細に説明したが、以上の説明は単なる例示に過ぎず、本発明を如何様にも限定するものではなく、本発明は特許請求の範囲によってのみ限定されるものであることを理解されたい。
【図面の簡単な説明】
【００２９】
【図１】本発明の実施の形態を実現することができるモバイル端末のブロック図である。
【図２Ａ】開いた位置にある電子デバイスの例示実施の形態を示す図である。
【図２Ｂ】閉じた位置にある電子デバイスの例示実施の形態を示す図である。
【図３Ａ】開いた位置にある電子デバイスの例示実施の形態の側面図である。
【図３Ｂ】閉じた位置にある電子デバイスの例示実施の形態の側面図である。
【図４Ａ】開いた位置にある電子デバイスの例示実施の形態の背面図である。
【図４Ｂ】閉じた位置にある電子デバイスの例示実施の形態の背面図である。
【図５Ａ】電子デバイスの例示実施の形態の一配向を示す図である。
【図５Ｂ】電子デバイスの例示実施の形態の図５Ａとは異なる配向を示す図である。
【図５Ｃ】電子デバイスの例示実施の形態の図５Ａ、Ｂとは異なる配向を示す図である。
【図５Ｄ】電子デバイスの例示実施の形態の図５Ａ、Ｂ、Ｃとは異なる配向を示す図である。
【図６】電子デバイスの代替実施の形態を示す図である。
【図７】電子デバイスの代替実施の形態を示す図である。
【図８】本発明の実施の形態のソフトウェアモジュールを説明するプロセスフローチャートである。
【図９】例示ヒンジアセンブリの分解図である。
【図１】
2007516681.tif 000003
【図２Ａ】
2007516681.tif 000004
【図２Ｂ】
2007516681.tif 000005
【図３Ａ】
2007516681.tif 000006
【図３Ｂ】
2007516681.tif 000007
【図４Ａ】
2007516681.tif 000008
【図４Ｂ】
2007516681.tif 000009
【図５Ａ】
2007516681.tif 000010
【図５Ｂ】
2007516681.tif 000011
【図５Ｃ】
2007516681.tif 000012
【図５Ｄ】
2007516681.tif 000013
【図６】
2007516681.tif 000014
【図７】
2007516681.tif 000015
【図８】
2007516681.tif 000016
【図９】
2007516681.tif 000017
【国際調査報告】
2007516681.tif 000018
2007516681.tif 000019